(57)【特許請求の範囲】
【請求項１】
被写体からの光を撮像する撮像素子と、
前記撮像素子からの撮像信号に基づく複数のフレーム画像を順次記憶する記憶部と、
所定時間の間に前記記憶部に記憶された前記複数のフレーム画像に基づいて、前記記憶部に単位時間に記憶される前記フレーム画像の数を示す第１フレームレートより少ない第２フレームレートで再生されるスローモーション動画像のデータを生成する動画像データ生成部と、
前記スローモーション動画像に関連した生音声データを記録する生音声データ記録部と、
前記生音声データの加工を行い前記スローモーション動画像の再生時に再生する音声データを生成する音声データ生成部と、
前記スローモーション動画像のデータに基づいて、前記スローモーション動画像の再生を行なう画像再生部と、
前記スローモーション動画像の再生時に、前記音声データ生成部により生成された前記音声データの再生を行なう音声再生部と
を備え、
前記音声データ生成部は、前記生音声データ記録部により記録された生音声データを少なくとも一部重ねて繰り返し繋ぎ合わせると共に、前記スローモーション動画像の画像情報に基づいて前記音声データを重ねる度合いを変更することを特徴とする撮像装置。
【請求項２】
前記生音声データ記録部は、前記所定時間の間、前記所定時間よりも前及び前記所定時間よりも後の中の少なくとも１つのときに前記生音声データを記録することを特徴とする請求項１記載の撮像装置。
【請求項３】
前記所定時間の間に前記記憶部に記憶された前記複数のフレーム画像に関する少なくとも１つの静止画像のデータを生成する静止画像データ生成部を備え、
前記画像再生部は、前記スローモーション動画像の再生に続けて前記少なくとも１つの静止画像の再生を行い、
前記音声再生部は、前記少なくとも１つの静止画像の再生時に、前記音声データ生成部により生成された前記音声データの再生を行なうことを特徴とする請求項１または請求項２記載の撮像装置。
【請求項４】
前記音声データ生成部は、前記生音声データから作成した複数の周波数が異なる音声データを重ねて前記音声データを生成することを特徴とする請求項１〜請求項３の何れか一項に記載の撮像装置。
【請求項５】
前記音声データ生成部により加工を行う音声データは、撮影モードに応じた特徴的な音を含む音声データであることを特徴とする請求項１〜請求項４の何れか一項に記載の撮像装置。
【請求項６】
前記音声データ生成部により加工を行う音声データは、ピーク値を含む音声データであることを特徴とする請求項１〜請求項４の何れか一項に記載の撮像装置。
【請求項７】
前記音声データ生成部は、前記重ねる度合いを顔認識処理により認識した画像情報により決定することを特徴とする請求項１に記載の撮像装置。
【請求項８】
前記音声データ生成部は、前記顔認識処理により認識された顔の数に応じて前記重ねる度合いを決定することを特徴とする請求項７に記載の撮像装置。
【請求項９】
前記音声データ生成部は、前記顔認識処理により認識された顔の数に応じて重ね合わせる前記生音声データの数を決定することを特徴とする請求項７または請求項８に記載の撮像装置。
【発明の詳細な説明】
【技術分野】
【０００１】
本発明は、動画像及び音声を記録可能な撮像装置に関するものである。
【背景技術】
【０００２】
従来、動画撮影中に撮影された静止画を再生する場合に、静止画が撮影された時点を含む所定の時間範囲に対応する動画像データの音声データを用いて音声の出力を行なう再生装置が存在する（例えば、特許文献１参照）。この再生装置によれば、静止画が撮影された時点付近の音声をＢＧＭのように流すことができる。
【先行技術文献】
【特許文献】
【０００３】
【特許文献１】特開２００５−１１７０８３号公報
【発明の概要】
【発明が解決しようとする課題】
【０００４】
しかしながら特許文献１には、被写体が実際の動きよりもスローに動くスローモーション動画像の撮影を行なう場合の音声の記録については開示されておらず、上述の特許文献１に開示されている技術を用いた場合には、再生されるスローモーション動画像の時間に対して録音されている音声の長さが短くなることから、スローモーション動画像の撮影時の雰囲気を表現することができなかった。
【０００５】
本発明の目的は、スローモーション動画像と共に撮影時の雰囲気を表現する音声を記録することができる撮像装置を提供することである。
【課題を解決するための手段】
【０００６】
本発明は以下のような解決手段により上記課題を解決する。
【０００７】
本発明の撮像装置は、被写体からの光を撮像する撮像素子と、前記撮像素子からの撮像信号に基づく複数のフレーム画像を順次記憶する記憶部と、所定時間の間に前記記憶部に記憶された前記複数のフレーム画像に基づいて、前記記憶部に単位時間に記憶される前記フレーム画像の数を示す第１フレームレートより少ない第２フレームレートで再生されるスローモーション動画像のデータを生成する動画像データ生成部と、前記スローモーション動画像に関連した生音声データを記録する生音声データ記録部と、前記生音声データの加工を行い前記スローモーション動画像の再生時に再生する音声データを生成する音声データ生成部と、前記スローモーション動画像のデータに基づいて、前記スローモーション動画像の再生を行なう画像再生部と、前記スローモーション動画像の再生時に、前記音声データ生成部により生成された前記音声データの再生を行なう音声再生部とを備え、前記音声データ生成部は、前記生音声データ記録部により記録された生音声データを少なくとも一部重ねて繰り返し繋ぎ合わせると共に、前記スローモーション動画像の画像情報に基づいて前記音声データを重ねる度合いを変更することを特徴とする。
【発明の効果】
【０００８】
本発明の撮像装置によれば、スローモーション動画像と共に撮影時の雰囲気を表現する音声を記録することができる。
【図面の簡単な説明】
【０００９】
【図１】実施の形態に係る電子カメラのシステム構成を示すブロック図である。
【図２】実施の形態に係る電子カメラのフレーム画像及び生音声データのキャプチャー動作を示すタイムチャートである。
【図３】実施の形態に係る電子カメラのスローモーション動画像データ及び音声データの生成処理を示す図である。
【図４】実施の形態に係る電子カメラのスローモーション動画像、静止画像及び音声の再生動作を示すタイムチャートである。
【発明を実施するための形態】
【００１０】
以下、図面を参照して、本発明の実施の形態に係る撮像装置としての電子カメラについて説明する。図１は、実施の形態に係る電子カメラのシステム構成を示すブロック図である。図１に示すように電子カメラ２は、マイクロプロセッサ等により構成され、電子カメラ２の各部を統括的に制御する制御部４を備えている。制御部４は、映像信号処理回路５を有し、映像信号処理回路５は、後述する表示部１２において表示されるスルー画像データを生成するスルー画像生成部５ａ、動画像データを生成する動画像生成部５ｂ及び静止画像データを生成する生成画像生成部５ｃを有している。また、制御部４には、バッファメモリ８、記録媒体１０、表示部１２、操作部１４、スピーカ１６、音声データ記憶部１７及びアンプ・Ａ／Ｄ変換部１８が接続されている。
【００１１】
撮像素子６は、ＣＣＤまたはＣＭＯＳ等により構成され、図示しない撮影レンズを介した被写体からの光を撮像し、バッファメモリ８は、撮像素子６から出力され、図示しないＡ／Ｄコンバータを介すことによりアナログ信号からデジタル信号に変換された撮像信号に基づく画像データを一時的に記憶する。
【００１２】
また、バッファメモリ８は、電子カメラ２が例えば、後述のスローモーション動画像（以下、スロー動画像という。）を撮影するスローモーション動画像撮影モードに設定されている場合には、撮像素子６から動画像サイクル（６０ｆｐｓ（フレーム／秒）等）に同期して出力される撮像信号に基づく複数の画像データ、即ちスロー動画像を構成する複数のフレーム画像を順次記憶する。なお、この実施の形態において、バッファメモリ８には、フルハイビジョン（Ｆｕｌｌ  Ｈｉｇｈ  Ｄｉｆｉｎｉｔｉｏｎ：１９２０×１０８０ピクセル）規格の画素数を有するフレーム画像、即ち高解像度のフレーム画像がＦＩＦＯ（ｆｉｒｓｔ  ｉｎ  ｆｉｒｓｔ  ｏｕｔ）方式で順次記憶される。
【００１３】
記録媒体１０は、電子カメラ２に設けられたカードスロット（図示せず）に着脱可能に装着される可搬性を有する記録媒体であり、例えば、ＣＦカード、ＳＤカード、スマートメディア等が用いられる。記録媒体１０には、バッファメモリ８に記憶されているフレーム画像のそれぞれに、制御部４内の動画像生成部５ｂにより動画像用の解像度へのリサイズ（解像度大から小へ）処理、動画像用の画像処理、及び動画像用の圧縮処理を施すことにより作成される動画像データやスローモーション動画像データ（以下、スロー動画像データという。）が記録される。また、記録媒体１０には、バッファメモリ８に記憶されているフレーム画像に、制御部４内の静止画像生成部５ｃにより静止画像用の画像処理、静止画像用の圧縮処理を施すことにより作成される静止画像データや音声データ記憶部１７に記憶されている生音声データに、制御部４により所定の加工を施すことにより作成される音声データ、撮影に関する情報等が記録される。
【００１４】
表示部１２は、電子カメラ２の背面部に配置されるＬＣＤ等により構成されるモニタまたはＥＶＦ等により構成され、スルー画生成部５ａにより生成されたスルー画像、記録媒体１０に記録されている動画像データに基づく動画像、スローモーション動画像データに基づくスロー動画像、静止画像データに基づく静止画像、及び撮影に関する情報等を表示する。
【００１５】
操作部１４は、電子カメラ２の電源をオン／オフする電源スイッチ、動画像を撮影する動画像撮影モードやスロー動画像を撮影するスローモーション動画像撮影モード等の撮影モードを設定するためのコマンドダイヤル、動画像や静止画像の撮影開始等を指示するためのレリーズボタン、表示部１２にメニュー等を表示させるためのメニューボタン、メニュー項目等の選択や様々な設定時に操作される十字キー、メニュー項目等の選択や様々な設定に対する確定操作を行うためのＯＫボタン、記録媒体１０に記録された動画像データや静止画像データを表示部１２に表示させるための再生ボタン等を含んで構成されている。
【００１６】
スピーカ１６は、記録媒体１０に記録されている音声データに基づく音声を出力する。アンプ・Ａ／Ｄ変換部１８は、マイク２０により集音された電子カメラ２の周辺の音声のアナログ信号をデジタル信号に変換し、変換された音声のデジタル信号を制御部４に対して出力する。制御部４は、アンプ・Ａ／Ｄ変換部１８から出力された音声のデジタル信号から生音声データを作成する。音声データ記憶部１７は、生音声データを一時的に記憶する。
【００１７】
この実施の形態に係る電子カメラ２では撮像素子６から出力され、バッファメモリ８に単位時間に記憶されるフレーム画像の数を示す第１フレームレートより少ない第２フレームレートで再生されるスロー動画像データを生成し、かつ該スロー動画像データを形成する複数のフレーム画像の少なくとも１つのフレーム画像に基づく静止画像データを生成し、生成されたスロー動画像データ及び静止画像データを互いに関連付けて記録媒体１０に記録する。また、マイク２０により集音しアンプ・Ａ／Ｄ変換部１８により生成した生音声データを加工して作成された音声データをスロー動画像データ及び静止画像データに関連付けて記録媒体１０に記録する。
【００１８】
以下、図面を参照して本実施の形態に係る電子カメラ２においてスロー動画像の撮影、静止画像の撮影及び音声の録音を行う場合の処理について説明する。
【００１９】
なお、この実施の形態では、静止画撮影指示の入力時から第１所定時間前までの間にバッファメモリ８に記憶された複数のフレーム画像、及び静止画像データとなるフレーム画像がバッファメモリ８に記憶された時から第２所定時間後までの間にバッファメモリ８に記憶された複数のフレーム画像に基づいて、スロー動画像データを生成する。即ち、所定時間（第１所定時間＋第２所定時間）の間にバッファメモリ８に記憶された複数のフレーム画像に基づいてスロー動画像データを生成し、第１所定時間終了時（第２所定時間開始時）にバッファメモリ８に記憶されたフレーム画像に基づいて静止画像データを生成する。なお、所定時間（例えば１秒等）、第１所定時間（例えば０．６秒等）、及び第２所定時間（例えば０．４秒等）は、予め設定され、図示しないメモリ等に記憶されており、変更可能に構成されている。
【００２０】
また、この実施の形態では、静止画像データとなるフレーム画像がバッファメモリ８に記憶された時から第３所定時間前までの間に音声データ記憶部１７に記憶された音声、及び静止画像データとなるフレーム画像がバッファメモリ８に記憶された時から第４所定時間後までの間に音声データ記憶部１７に記憶された音声に基づいて、スロー動画像再生時に再生する音声の音声データを生成する。即ち、所定時間（第３所定時間＋第４所定時間）の間に音声データ記憶部１７に記憶された音声データに基づいてスロー動画像再生時に再生する音声データを生成する。なお、第３所定時間（例えば９．６秒等）及び第４所定時間（例えば０．４秒等）は予め設定され、図示しないメモリ等に記憶されており変更可能に構成されている。
【００２１】
ユーザーがコマンドダイヤルを操作することにより撮影モードをスローモーション動画像撮影モードに設定すると、制御部４は、スロー動画像、該スロー動画像に関連する静止画像の撮影及び該スロー動画像に関連する音声の録音を行うためのスローモーション動画像撮影モードに移行する。次に、制御部４は、ユーザーによりレリーズボタンの半押し操作が行われたか否かを判別する。図２に示すようにレリーズボタンが半押しされると（Ｓ１）、制御部４は、スロー動画像及び静止画像の撮影準備、即ち主要被写体に対して合焦させ、スロー動画像の撮影及びスロー動画像に関連する音声の録音のために、バッファメモリ８へのフレーム画像のプリキャプチャー及び音声データ記憶部１７への音声のバッファリングを開始する。
【００２２】
なお、この実施の形態においては、ユーザーによるレリーズボタンの全押し操作時（Ｓ２）から第１所定時間前までの間及びレリーズボタンの全押し操作時（Ｓ２）から第２所定時間後までの間にバッファメモリ８へ記憶されたフレーム画像に基づいてスロー動画像データを生成する。したがって、図２に示すプリキャプチャー動作中においては、バッファメモリ８が例えば１秒分のフレーム画像を記憶可能な記憶領域を有している場合に、バッファメモリ８に１秒分のフレーム画像が記憶された後においては、レリーズボタンの全押し操作（Ｓ２）が行われるまで、フレーム画像が生成されるたびに、バッファメモリ８内の最古のフレーム画像を削除し、生成されたフレーム画像（最新のフレーム画像）をバッファメモリ８に記憶する処理を繰り返す。
【００２３】
また、音声データ記憶部１７が例えば１０秒分の音声を記憶可能な記憶領域を有している場合に、音声データ記憶部１７に１０秒分の音声が記憶された後においては、レリーズボタンの全押し操作（Ｓ２）が行われるまで、アンプ・ＡＤ編幹部１８から音声データが出力されるたびに音声データ記憶部１７内の最古の音声データを削除し、出力された音声データ（最新の音声データ）をＦＩＦＯ方式で音声データ記憶部１７に記憶する処理を繰り返す。
【００２４】
次に、制御部４は、バッファメモリ８へのフレーム画像及び音声データ記憶部１７への音声データの記憶を繰り返している最中にレリーズボタンの全押し操作（Ｓ２）が行われたか否かを判別する。レリーズボタンが全押しされると、制御部４は、静止画像データの生成を指示する静止画像撮影指示が入力されたと判断し、第１所定時間及び第３所定時間を終了させ、第２所定時間及び第４所定時間を開始させる。
【００２５】
制御部４は、第２所定時間が経過するまでフレーム画像が生成されるたびに、バッファメモリ８内の最古のフレーム画像を削除し、生成されたフレーム画像（最新のフレーム画像）をバッファメモリ８に記憶する処理を繰り返す。また制御部４は第４所定時間が経過するまで音声データが出力されるたびに音声データ記憶部１７内の最古の音声データを削除し、出力された音声データ（最新の音声データ）をＦＩＦＯ方式で音声データ記憶部１７に記憶する処理を繰り返す。
【００２６】
制御部４は、第２所定時間及び第４所定時間が経過した場合には、フレーム画像のバッファメモリ８へのバッファリング及び音声データの音声データ記憶部１７へのバッファリングを終了する。
【００２７】
図２においては、第１所定時間が０．６秒、第３所定時間が９．６秒であり、第２所定時間及び第４所定時間がそれぞれ０．４秒である場合を示しているが、第４所定時間が第２所定時間よりも長い場合には、制御部４は、第２所定時間が経過した時に音声データのバッファリングが終了していない旨をユーザーに報知する。ここで、ユーザーへの報知は、表示部１２に音声データのバッファリング中である旨を示す画像や文字を表示することにより行なってもよいし、表示部１２に音声データのバッファリング経過時間を示すインジケータ等を表示することにより行なってもよい。更に、表示部１２にバッファリング終了までの残り時間を表示することにより音声データのバッファリングが終了していない旨をユーザーに報知してもよい。
【００２８】
フレーム画像のプリキャプチャー及び音声のバッファリングが終了すると、制御部４は、スロー動画像データ、静止画像データ及びスロー動画像の再生時に再生する音声データの生成を行う。まず、スロー動画像データの生成処理について説明する。制御部４は、図２に示すようにレリーズボタンが全押しされた時から第１所定時間（この実施の形態では０．６秒）前までの間にバッファメモリ８にバッファリングされた複数のフレーム画像と、レリーズボタンが全押しされた時から第２所定時間（この実施の形態では０．４秒）後までの間にバッファメモリ８にバッファリングされた複数のフレーム画像に基づいて、スロー動画像データを生成する。具体的には、図３に示すように撮像素子６から出力されるフレームレート（撮影フレームレート）と同等の第１フレームレート（例えば６０ｆｐｓ等）でバッファメモリ８に記憶されているフレーム画像（図３に示すキャプチャーデータ）を、第１フレームレートより少ない第２フレームレート（例えば第１フレームレートの１／２．５である２４ｆｐｓ等）でバッファメモリ８から読み出し、読み出したフレーム画像に対して制御部４内の動画像生成部５ｂにより動画像用の解像度へのリサイズ（解像度大から小へ）処理、及び動画像用の画像処理（動画像用圧縮処理を含む）を施すことにより、スロー動画像データ（図３に示すフレームレート変換データ）を作成する。従って、この実施の形態で作成されるスロー動画像の再生時間は、図３に示すように２．５秒となる。
【００２９】
また、制御部４は、レリーズボタンが全押しされた時（Ｓ２）に、撮像素子６から出力される撮像信号に基づくフレーム画像に基づいて、静止画像データを生成する。具体的にはレリーズボタンが全押しされた時（Ｓ２）に、バッファメモリ８に記憶されたフレーム画像をバッファメモリ８から読み出し、読み出されたフレーム画像に対して制御部４内の静止画像生成部５ｃにより静止画像用の画像処理（静止画像用圧縮処理を含む）を施すことにより静止画像データを生成する。
【００３０】
また、制御部４は、音声データ記憶部１７にバッファリングされている音声データの中からレリーズボタンが全押しされた時（Ｓ２）から０．６秒前までの間に音声データ記憶部１７にバッファリングされた音声データと、レリーズボタンが全押しされた時（Ｓ２）から０．４秒後までの間に音声データ記憶部１７にバッファリングされた音声データ（生音声データ）、即ちスロー動画像の生成に用いたフレーム画像がバファメモリ８に記憶された期間に音声データ記憶部１７にバッファリングされた音声データを抽出し、この抽出した音声データを加工して、スロー動画像の再生時に再生する音声データを生成する。即ち、図３に示すように、抽出した１秒分の生音声データを０．５秒ずつ重ねて４回繰り返し繋ぎ合わせることにより２．５秒分の音声データを生成する。
【００３１】
次に、制御部４は、生成されたスロー動画像データ、生成された静止画像データ及び生成された音声データをそれぞれ関連付けて記録媒体１８に記録する。
【００３２】
次に、図４に示すタイムチャートを参照して実施の形態に係る電子カメラ２においてスロー動画像、静止画像及び音声を再生する際の処理について説明する。まず、ユーザーがコマンドダイヤルを操作して再生モードを設定すると、制御部４は記録媒体１０に記録されているスロー動画像データに基づくスロー動画像、静止画像データに基づく静止画像及び音声データに基づく音声を再生するための再生モードに移行する。そして、ユーザーにより操作部１４を介してスロー動画像の再生指示がなされたか否かを判別する。
【００３３】
スロー動画像の再生指示がなされた場合には、制御部４は再生指示がなされたスロー動画像のスロー動画像データ、スロー動画像データに関連付けて記録されている静止画像データ及び音声データを記録媒体１０から読み出し、スロー動画像の再生及び音声の再生を開始する。
【００３４】
ここで制御部４は、スロー動画像が再生されることを印象付けるために、スロー動画像の再生開始から所定時間（この実施の形態では０．５秒）かけてスロー動画像がフェードインする等のトランジションエフェクト処理を行なう。即ち、図４に示すようにスロー動画像をフェードインさせながらスロー動画像の再生を開始する。また、制御部４は、音声の再生開始から所定時間（この実施の形態では０．５秒）かけて音声がフェードインする等の音声に対する処理を行なう。
【００３５】
なお、図４においては、スロー動画像及び音声の再生開始時に、スロー動画像に対してトランジションエフェクトを行なう時間と音声に対する処理を行なう時間とを同一の長さとしているが、異なる長さであってもよい。
【００３６】
そして、制御部４は、スロー動画像及び音声の再生を継続し、スロー動画像の再生終了から所定時間（この実施の形態では０．５秒）前から、スロー動画像の再生終了までの間、スロー動画像がフェードアウトする等のトランジションエフェクト処理を行なう。その後静止画像を７．５秒間再生するが、静止画像の再生開始から所定時間（この実施の形態においては０．５秒）かけて静止画像がフェードインする等のトランジションエフェクト処理を行なう。また。静止画像の再生終了から所定時間（この実施の形態においては０．５秒）かけて静止画像がフェードアウトする等のトランジションエフェクト処理を行なう。ここで音声の再生は、静止画時像の再生終了時まで継続する。即ち、２．５秒分の音声を４回繰り返し再生することにより、スロー動画像及び静止画像の再生時間である１０秒間音声の再生を行なう。なお、音声の再生は、スロー動画像の再生終了時に終了させてもよい。ここで静止画像の再生中に、ユーザーにより操作部１４を介して静止画像の表示停止の指示がなされた場合には、制御部４は静止画像の表示を停止する。この場合には、静止画像の表示の停止時に音声の再生も停止させる。
【００３７】
この実施の形態に係る電子カメラによれば、スロー動画像と共に撮影時の雰囲気を表現する音声を記録することができる。また、このスロー動画を再生する際に撮影時の雰囲気を表現する音声を再生することができる。
【００３８】
なお、上述の実施の形態においては、スロー動画像の生成に用いたフレーム画像が記憶された期間にバッファリングされた生音声データを抽出し、この抽出した生音声データを一部重ねて繰り返しつなぎ合わせて、スロー動画像及び静止画像の再生時に再生する音声データを生成しているが、抽出した生音声データを重ね合わせること無く繰り返し繋ぎ合わせてスロー動画像及び静止画像の再生時に再生する音声データを生成するようにしてもよい。
【００３９】
また、上述の実施の形態においては、スロー動画像及び静止画像の再生時間が１０秒間であるが、音声データ記憶部１７には１０秒分の生音声データがバッファリングされているため、スロー動画像及び静止画像の再生時に１０秒分の生音声データをそのまま再生するようにしてもよい。
【００４０】
また、上述の実施の形態においては、レリーズボタンの全押し時（Ｓ２）から第３所定時間前までの生音声データ及びレリーズボタンの全押し時（Ｓ２）から第４所定時間後までの生音声データを用いてスロー動画像及び静止画像の再生時に再生する音声データを生成しているが、音声データ記憶部１７に記憶されている生音声データの任意の部分を用いてスロー動画像及び静止画像の再生時に再生する音声データを生成するようにしてもよい。
【００４１】
また、上述の実施の形態においては、スロー動画像の生成に用いたフレーム画像が記憶された期間にバッファリングされた生音声データを抽出し、この抽出した生音声データを繰り返し繋ぎ合わせて、スロー動画像及び静止画像の再生時に再生する音声データを生成しているが、抽出した生音声データから複数の周波数の異なる音声データを作成し、この周波数の異なる音声データを重ね合わせてスロー動画像及び静止画像の再生時に再生する音声データを生成するようにしてもよい。
【００４２】
また、上述の実施の形態において生音声データを重ね合わせる場合には、重ねる度合いを顔認識等により認識した画像情報により決定してもよい。例えば、制御部４がフレーム画像に対して顔認識処理を行い、認識された顔の数に応じて生音声データを重ねる度合い（重ね合わせる幅）、重ね合わせる生音声データの個数を決定してもよい。これにより、スロー動画像データを構成するフレーム画像に複数の人物が写っている場合に、撮影時の雰囲気を音声データに反映させることができる。
【００４３】
また、生音声データを重ね合わせる際に、重ね合わせるそれぞれの生音声データが異なる音程となるように加工し、または重ね合わせるそれぞれの生音声データが異なる再生速度となるように加工し、加工した複数の生音声データを重ね合わせるようにしてもよい。またそれぞれの生音声データが異なる音量となるように加工し、加工した複数の生音声データを重ね合わせるようにしてもよい。更に複数の生音声データを少しずつずらして重ね合わせることにより、エコーがかかったように聞こえる音声をスロー動画像及び静止画像の再生時に再生するようにしてもよい。
【００４４】
また上述の実施の形態において、音声データ記憶部１７に記憶されている生音声データから撮影シーンに応じた特徴的な音を含む部分の生音声データを抽出し、この抽出した生音声データを加工してスロー動画像及び静止画像の再生時に再生する音声データを生成してもよい。この場合に撮影シーンは、設定されている撮影モードに基づいて認識してもよいし、音声データ記憶部１７に記憶されている生音声データを解析して撮影シーンを認識してもよい。
【００４５】
また、上述の実施の形態において、音声データ記憶部１７に記憶されている生音声データから音声レベルのピーク値を含む部分の生音声データを抽出し、この抽出した生音声データを複数繋ぎ合せる、または複数重ね合わせる等の加工を行いスロー動画像及び静止画像の再生時に再生する音声データを生成してもよい。
【００４６】
また、上述の実施の形態において、音声データ記憶部１７にバッファリングされた音声のうちの一部を用いる場合に、バッファリングされた生音声データの複数の部分を抽出し、抽出されたを生音声データを加工してスロー動画像及び静止画像の再生時に再生する音声データを生成してもよい。
【符号の説明】
【００４７】
２…電子カメラ、４…制御部、５…映像信号処理回路、５ａ…スルー画像生成部、５ｂ…動画像生成部、５ｃ…静止画像生成部、６…撮像素子、８…バッファメモリ、１０…記録媒体、１２…表示部、１４…操作部、１６…スピーカ、１７…音声データ記憶部、１８…アンプ・Ａ／Ｄ変換部、２０…マイク
【図１】
0005500188.tif 000002
【図２】
0005500188.tif 000003
【図３】
0005500188.tif 000004
【図４】
0005500188.tif 000005